(57)【要約】      （修正有）【課題】枕の使用時における寝心地の良さや健康増進効果を改良した枕保持器具を提供する。【解決手段】枕保持器具１は、裏面に平面を備えたベース部２０と、枕を載置するスペースを備えた枕台１０と、ベース部２０と枕台１０を連結し、支持させる連結支持部３ａ、３ｂ、５ａ、５ｂとを備えている。連結支持部３ａ、３ｂ、５ａ、５ｂは、弾性体を有している。【選択図】図１
0003223359.tif 000002
【実用新案登録請求の範囲】
【請求項１】
裏面に平面を備えたベース部と、
枕を載置するスペースを備えた枕台と、
前記ベース部と前記枕台を連結し、支持させる連結支持部と、を備え、
前記連結支持部は、弾性体を有している、枕保持器具。
【考案の詳細な説明】
【技術分野】
【０００１】
本考案は、枕保持器具に関する。
【背景技術】
【０００２】
従来、枕の位置や高さを自在に調整する枕保持器具が知られている。
【先行技術文献】
【特許文献】
【０００３】
【特許文献１】実登３２２０２９９号公報
【考案の概要】
【考案が解決しようとする課題】
【０００４】
しかし、特許文献１に示す枕保持器具には、枕の使用時における寝心地の良さや健康増進効果について、改良の余地がある。
【０００５】
本考案の目的は、枕の使用時における寝心地の良さや健康増進効果を改良した枕保持器具を提供することである。
【課題を解決するための手段】
【０００６】
上記目的は、
裏面に平面を備えたベース部（２０）と、
枕を載置するスペースを備えた枕台（１０）と、
前記ベース部（２０）と前記枕台（１０）を４点で連結し、支持させる４つの連結支持部（３ａ、３ｂ、５ａ、５ｂ）と、を備え、
４つの前記連結支持部のうちの少なくとも２つの前記連結支持部（３ａ、３ｂ）は、弾性体を有している、枕保持器具（１）
によって達成される。
【０００７】
また、上記目的は、
上記の枕保持器具（１）であって、
前記枕台（１０）は、端部付近に載置する枕を使用者の頭頂部の方向に移動させないようにするストッパー（３０）を備え、
前記連結支持部（３ａ、３ｂ、５ａ、５ｂ）は、前記ストッパーが設けられた側の前記枕台の端部を、該端部の対辺に位置する該枕台の端部よりも、低くさせることが可能である、枕保持器具（１）
によって達成される。
【０００８】
また、上記目的は、
上記の枕保持器具（１）であって、
前記枕台（１０）は、枕を載置する場所に複数の通気孔（１１）を有している、枕保持器具（１）
によって達成される。
【考案の効果】
【０００９】
本考案によれば、枕の使用時における寝心地の良さや健康増進効果を改良した枕保持器具を提供することができる。
【図面の簡単な説明】
【００１０】
【図１】本考案の実施形態による枕保持器具１を説明する図である。
【図２】本考案の実施形態による枕保持器具１を説明する図である。
【図３】本考案の実施形態による枕保持器具１を説明する図である。
【図４】本考案の実施形態による枕保持器具１を説明する図である。
【図５】本考案の実施形態による枕保持器具１を説明する図である。
【図６】本考案の実施形態による枕保持器具１の使用例を説明する図である。
【考案を実施するための形態】
【００１１】
以下、図１〜図６を用いて、本考案の実施形態による枕保持器具１を説明する。なお、以下の全ての図面においては、理解を容易にするため、各構成要素の寸法や比率などは適宜異ならせて図示する場合がある。
【００１２】
図１は、枕保持器具１を正面左上から見た斜視図である。枕保持器具１は、裏面に平坦な平面を備えたベース部２０と、枕を載置するスペースを備えた枕台１０と、ベース部２０と枕台１０を４点で連結し、支持させる４つの連結支持部３ａ、３ｂ、５ａ、５ｂと、載置する枕を使用者の頭頂部の方向に移動させないようにするストッパー３０を有している。本実施形態の枕保持器具１は、合成樹脂材料、木材、紙、金属等の剛性の高い材質で構成されるが、布帛や柔らかい発泡樹脂性材料等の剛性の低い材質で構成される場合があってもよい。また、内部に空気や水を充満して膨らませたビニール等を用いてもよい。
【００１３】
図２を用いて、枕保持器具１の枕台１０を説明する。図２（ａ）は、枕台１０の左側面図と正面図である。図２（ｂ）は、図２（ａ）に示す正面図におけるＡ−Ａ線の切断部端面図である。図１及び図２に示すように、枕台１０は中央部に枕を載置させる窪みが設けられ、枕を載置する部分には、複数の通気孔１１が設けられる。図１及び図２に示すように通気孔１１を設けることで、載置する枕の通気性を確保する。
【００１４】
枕台１０は、左側面に連結支持部５ａを取り付けるためのネジ穴ｃ１と、右側面に連結支持部５ｂを取り付けるためのネジ穴ｃ２が設けられる。また、枕台１０は、上面に、ストッパー３０を取り付けるためのネジ穴ａ１、ａ２と連結支持部３ａを取り付けるためのネジ孔（貫通孔）ｂ１と連結支持部３ｂを取り付けるためのネジ孔（貫通孔）ｂ２とを有している。
【００１５】
図２（ａ）、（ｂ）に示すように、枕台１０は、ストッパー３０が設けられた側の端部（上端部）の対辺側の端部付近（下端部付近）は、下方向（ベース部２０の方向）の傾斜面を有している。枕保持器具１の使用の際には、この傾斜面に使用者の後頚部をあてる構成である。
【００１６】
図３は、ベース２０の裏面図である。ベース２０は、平板状の形状であり、裏面を平らにすることで床や敷布団等に平行に載置することが可能である。また、ベース２０は、表面及び裏面に連結支持部３ａ、３ｂを取り付けるためのネジ孔（貫通孔）ｄ１、ｄ２と、左側面に連結支持部５ａを取り付けるためのネジ穴ｅ１と、右側面に連結支持部５ｂを取り付けるためのネジ穴ｅ２が設けられる。
【００１７】
図４は、ストッパー３０の正面図である。ストッパー３０の両端部分にはネジが取り付けられる。
【００１８】
図５は、枕保持器具１の左側面図である。図５（ａ）は、枕保持器具１の枕台１０を平行な状態にするように連結支持部３ａ、３ｂを調整した状態を示し、図５（ｂ）は、枕保持器具１の枕台１０の上端部を低くするように連結支持部３ａ、３ｂを調整した状態を示している。
【００１９】
連結支持部３ａ、３ｂは、蝶ナットとネジとコイルバネで構成される。ベース部２０にコイルバネを通したネジを固定し、ネジを枕台１０のネジ孔ｂ１、ｂ２に通し、蝶ナットで枕台１０を上から押える構造である。また、連結支持部５ａ、５ｂは、コイルバネで構成される。連結支持部５ａ、５ｂにコイルバネを用いることで、コイルバネの張力によって使用者の後頚部の位置に該当する枕の部分をほどよく高くすることが可能となるとともに、コイルバネの弾性力によって使用者の後頚部の圧迫感を軽減させることが可能となる。また、使用者は、蝶ナットを回すことで、枕の高さや角度を図６（ａ）の位置（枕が最も低くなる位置）や図６（ｂ）の位置（枕が最も高くなる位置）に変更することが可能である。また、本実施形態では、枕台１０とベース部２０を４点で連結支持する構成であるが、４点以外で連結支持する構成であってもよい。例えば、枕台１０とベース部２０を上端部と下端部の２点で連結支持する構成であってもよいし、上端部２点、下端部１点で連結支持する構成であってもよいし、上端部１点、下端部２点で連結支持する構成であってもよい。また、本実施形態では、連結支持部３ａ、３ｂ、５ａ、５ｂにコイルバネが用いられているが、連結支持部５ａ、５ｂに剛性の高い材質が用いられてもよい。ただし、この場合では、枕の角度を自在に変更することは可能であるが、使用者の後頚部に位置する枕の部分の高さが一定となる。また、連結支持部３ａ、３ｂ、５ａ、５ｂは、コイルバネ以外の弾性体（例えば、板バネ、天然ゴム、プラスチック、繊維強化材等）を有する場合があってもよい。
【００２０】
このように、本実施形態では、枕台１０とベース部２０とを弾性体を有する連結支持部で連結支持することで、枕台１０をシーソーのように可動することができる。このため、本実施形態では、従来の高さ調整枕のような複雑な機構が不要である。また、枕台１０に枕を一体形成させてもよい。
【００２１】
本考案の実施形態による枕保持器具１は、以下の効果を奏する。
（あ）従来の高さ調整枕とは異なり、枕台１０とベース部２０で枕を保持する構成であるため、愛用している自分の枕の高さや角度を自分好みに調整し、使い続けることができる。
（い）枕の後頚部の部分の位置を高くし、枕の頭頂部の部分の位置を低くすることが可能であるため、枕を高くしても睡眠時における気道が確保されやすくなる。
（う）枕台１０とベース部２０が弾性体を有する連結支持部で連結支持されるため、枕を高くしても、後頚部の部分の圧迫感を軽減することができるため、肩こりの改善等の健康増進が図れる。
（え）枕台１０には枕を載置するための窪みを有しているため、枕の保持性が向上している。
（お）使用者は、連結支持部３ａ、３ｂの蝶ナットを回すことで簡単に枕の高さや角度を調整することができる。
（か）部品点数が少ないため、軽量化や製造コストを安くすることができる。
【００２２】
上述の実施形態は、本考案の好適な一例であるので、技術的に好ましい種々の限定が付されているが、本考案の範囲は、上述の説明によって不当に限定されるものではない。また、上述の実施形態で説明される構成の全てが本考案の必須の構成要件ではない。また、上述の実施形態で説明される構成は相互に付け足したり組み合わせたりしてもよい。
【産業上の利用可能性】
【００２３】
本考案は、枕保持器具のみならず高さ調整を可能とする枕においても広く利用可能である。
【符号の説明】
【００２４】
１  枕保持器具
３ａ、３ｂ、５ａ、５ｂ  連結支持部
１０  枕台
１１  通気孔
２０  ベース部
３０  ストッパー部
ａ１、ａ２、ｂ１、ｂ２、ｃ１、ｃ２、ｄ１、ｄ２、ｅ１、ｅ２  ネジ孔（穴）
【図１】
0003223359.tif 000003
【図２】
0003223359.tif 000004
【図３】
0003223359.tif 000005
【図４】
0003223359.tif 000006
【図５】
0003223359.tif 000007
【図６】
0003223359.tif 000008